【手続補正書】
【提出日】令和1年7月24日(2019.7.24)
【手続補正１】
【補正対象書類名】特許請求の範囲
【補正対象項目名】全文
【補正方法】変更
【補正の内容】
【特許請求の範囲】
【請求項１】
時分割複信（ＴＤＤ）フレーム構造に関連する一連のサブフレームのために通信媒体へのアクセスを求めて競合することと、
前記一連のサブフレームの第１の部分中に前記通信媒体上で送信することと、
前記一連のサブフレームの第２の部分中に前記通信媒体上で送信することを控えることと、
競合タイマーを起動するためのトリガ条件に関連する１つまたは複数のアップリンク送信パラメータを調整することと、
前記競合タイマーに基づいて、前記一連のサブフレームの第３の部分のために前記通信媒体へのアクセスを求めて再競合することと、
前記一連のサブフレームの前記第３の部分中に前記通信媒体上で送信することと
を備える、通信方法。
【請求項２】
前記トリガ条件がバックオフしきい値を備える、請求項１に記載の方法。
【請求項３】
前記調整することが、前記１つまたは複数のアップリンク送信パラメータをアクセス端末に送信することを備える、請求項１に記載の方法。
【請求項４】
前記調整することが、アクセスポイントへの前記アクセス端末の近接に基づく、請求項３に記載の方法。
【請求項５】
前記１つまたは複数のアップリンク送信パラメータが送信電力パラメータを備え、
前記調整することが、アクセス端末に関連する信号強度または送信リソースの数を、前記トリガ条件に関連するレベル未満に制限することを備える、
請求項１に記載の方法。
【請求項６】
前記１つまたは複数のアップリンク送信パラメータがマルチユーザスケジューリングパラメータを備え、
前記調整することが、前記一連のサブフレームの前記第３の部分に隣接するサブフレーム中でしきい値を上回る信号強度を有するいかなるアクセス端末をもスケジュールすることを控えることを備える、
請求項１に記載の方法。
【請求項７】
前記アップリンク送信パラメータがサブバンドスケジューリングパラメータを備え、
前記調整することが、前記一連のサブフレームの前記第２の部分のリソースの第１のサブセット中でアクセス端末をスケジュールすることを備え、
前記再競合することが、リソースの前記第１のサブセットとは異なる、前記一連のサブフレームの前記第２の部分のリソースの第２のサブセット上でシグナリングを監視することを備える、
請求項１に記載の方法。
【請求項８】
前記一連のサブフレームのために前記通信媒体を予約するために、チャネル予約メッセージを送信することをさらに備える、請求項１に記載の方法。
【請求項９】
時分割複信（ＴＤＤ）フレーム構造に関連する一連のサブフレームのために通信媒体へのアクセスを求めて競合するための手段と、
前記一連のサブフレームの第１の部分中に前記通信媒体上で送信するための手段と、
前記一連のサブフレームの第２の部分中に前記通信媒体上で送信することを控えるための手段と、
競合タイマーを起動するためのトリガ条件に関連する１つまたは複数のアップリンク送信パラメータを調整するための手段と、
前記競合タイマーに基づいて、前記一連のサブフレームの第３の部分のために前記通信媒体へのアクセスを求めて再競合するための手段と、
前記一連のサブフレームの前記第３の部分中に前記通信媒体上で送信するための手段と
を備える、通信装置。
【請求項１０】
前記トリガ条件がバックオフしきい値を備える、請求項９に記載の装置。
【請求項１１】
調整するための前記手段が、前記１つまたは複数のアップリンク送信パラメータをアクセス端末に送信するための手段を備え、前記調整することが、アクセスポイントへの前記アクセス端末の近接に基づく、請求項９に記載の装置。
【請求項１２】
前記１つまたは複数のアップリンク送信パラメータが送信電力パラメータを備え、
調整するための前記手段が、アクセス端末に関連する信号強度または送信リソースの数を、前記トリガ条件に関連するレベル未満に制限するための手段を備える、
請求項９に記載の装置。
【請求項１３】
前記１つまたは複数のアップリンク送信パラメータがマルチユーザスケジューリングパラメータを備え、
調整するための前記手段が、前記一連のサブフレームの前記第３の部分に隣接するサブフレーム中でしきい値を上回る信号強度を有するいかなるアクセス端末をもスケジュールすることを控えるための手段を備える、
請求項９に記載の装置。
【請求項１４】
前記アップリンク送信パラメータがサブバンドスケジューリングパラメータを備え、
調整するための前記手段が、前記一連のサブフレームの前記第２の部分のリソースの第１のサブセット中でアクセス端末をスケジュールするための手段を備え、
再競合するための前記手段が、リソースの前記第１のサブセットとは異なる、前記一連のサブフレームの前記第２の部分のリソースの第２のサブセット上でシグナリングを監視するための手段を備える、
請求項９に記載の装置。
【請求項１５】
請求項１ないし８のいずれか一項に記載の方法のすべてのステップを実施するためにコンピュータにより実行可能であるプログラム命令を備えるコンピュータプログラム。
【手続補正２】
【補正対象書類名】明細書
【補正対象項目名】０１０２
【補正方法】変更
【補正の内容】
【０１０２】
[00119]上記の開示は、様々な例示的な態様を示しているが、添付の特許請求の範囲によって定義される範囲から逸脱することなく、様々な変更および修正が、示された例に対して行われ得ることに留意されたい。本開示は、具体的に示された例のみに限定されるものではない。たとえば、別段に記載されていない限り、本明細書で説明された本開示の態様による方法クレームの機能、ステップおよび／またはアクションは、特定の順序で実施されなくてもよい。さらに、いくつかの態様は、単数形で説明または請求されていることがあるが、単数形への限定が明示的に述べられていない限り、複数形が企図される。
以下に本願の出願当初の特許請求の範囲に記載された発明を付記する。
［Ｃ１］  時分割複信（ＴＤＤ）フレーム構造に関連する一連のサブフレームのために通信媒体へのアクセスを求めて競合することと、
前記一連のサブフレームの第１の部分中に前記通信媒体上で送信することと、
前記一連のサブフレームの第２の部分中に前記通信媒体上で送信することを控えることと、
競合タイマーを起動するためのトリガ条件に関連する１つまたは複数のアップリンク送信パラメータを調整することと、
前記競合タイマーに基づいて、前記一連のサブフレームの第３の部分のために前記通信媒体へのアクセスを求めて再競合することと、
前記一連のサブフレームの前記第３の部分中に前記通信媒体上で送信することと
を備える、通信方法。
［Ｃ２］  前記トリガ条件がバックオフしきい値を備える、Ｃ１に記載の方法。
［Ｃ３］  前記調整することが、前記１つまたは複数のアップリンク送信パラメータをアクセス端末に送信することを備える、Ｃ１に記載の方法。
［Ｃ４］  前記調整することが、アクセスポイントへの前記アクセス端末の近接に基づく、Ｃ３に記載の方法。
［Ｃ５］  前記１つまたは複数のアップリンク送信パラメータが送信電力パラメータを備え、
前記調整することが、アクセス端末に関連する信号強度または送信リソースの数を、前記トリガ条件に関連するレベル未満に制限することを備える、
Ｃ１に記載の方法。
［Ｃ６］  前記１つまたは複数のアップリンク送信パラメータがマルチユーザスケジューリングパラメータを備え、
前記調整することが、前記一連のサブフレームの前記第３の部分に隣接するサブフレーム中でしきい値を上回る信号強度を有するいかなるアクセス端末をもスケジュールすることを控えることを備える、
Ｃ１に記載の方法。
［Ｃ７］  前記アップリンク送信パラメータがサブバンドスケジューリングパラメータを備え、  前記調整することが、前記一連のサブフレームの前記第２の部分のリソースの第１のサブセット中でアクセス端末をスケジュールすることを備え、
前記再競合することが、リソースの前記第１のサブセットとは異なる、前記一連のサブフレームの前記第２の部分のリソースの第２のサブセット上でシグナリングを監視することを備える、
Ｃ１に記載の方法。
［Ｃ８］  前記一連のサブフレームのために前記通信媒体を予約するために、チャネル予約メッセージを送信することをさらに備える、Ｃ１に記載の方法。
［Ｃ９］  少なくとも１つのプロセッサと、
前記少なくとも１つのプロセッサに結合された少なくとも１つのメモリと、前記少なくとも１つのプロセッサおよび前記少なくとも１つのメモリが、時分割複信（ＴＤＤ）フレーム構造に関連する一連のサブフレームのために通信媒体へのアクセスを求めて競合するように構成された、
前記一連のサブフレームの第１の部分中に前記通信媒体上で送信することと、前記一連のサブフレームの第２の部分中に前記通信媒体上で送信することを控えることとを行うように構成された、少なくとも１つのトランシーバと
を備え、
ここにおいて、前記少なくとも１つのプロセッサおよび前記少なくとも１つのメモリが、競合タイマーを起動するためのトリガ条件に関連する１つまたは複数のアップリンク送信パラメータを調整することと、前記競合タイマーに基づいて、前記一連のサブフレームの第３の部分のために前記通信媒体へのアクセスを求めて再競合することとを行うようにさらに構成され、
ここにおいて、前記少なくとも１つのトランシーバが、前記一連のサブフレームの前記第３の部分中に前記通信媒体上で送信するようにさらに構成された、
通信装置。
［Ｃ１０］  前記トリガ条件がバックオフしきい値を備える、Ｃ９に記載の装置。
［Ｃ１１］  前記少なくとも１つのトランシーバが、前記１つまたは複数のアップリンク送信パラメータをアクセス端末に送信するようにさらに構成された、Ｃ９に記載の装置。
［Ｃ１２］  前記少なくとも１つのプロセッサおよび前記少なくとも１つのメモリが、アクセスポイントへの前記アクセス端末の近接に基づいて、前記１つまたは複数のアップリンク送信パラメータを調整するように構成された、Ｃ１１に記載の装置。
［Ｃ１３］  前記１つまたは複数のアップリンク送信パラメータが送信電力パラメータを備え、
前記少なくとも１つのプロセッサおよび前記少なくとも１つのメモリが、アクセス端末に関連する信号強度または送信リソースの数を、前記トリガ条件に関連するレベル未満に制限するようにさらに構成された、
Ｃ９に記載の装置。
［Ｃ１４］  前記１つまたは複数のアップリンク送信パラメータがマルチユーザスケジューリングパラメータを備え、
前記少なくとも１つのプロセッサおよび前記少なくとも１つのメモリが、前記一連のサブフレームの前記第３の部分に隣接するサブフレーム中でしきい値を上回る信号強度を有するいかなるアクセス端末をもスケジュールすることを控えるようにさらに構成された、Ｃ９に記載の装置。
［Ｃ１５］  前記アップリンク送信パラメータがサブバンドスケジューリングパラメータを備え、  前記少なくとも１つのプロセッサおよび前記少なくとも１つのメモリが、前記一連のサブフレームの前記第２の部分のリソースの第１のサブセット中でアクセス端末をスケジュールするようにさらに構成され、
前記少なくとも１つのトランシーバが、リソースの前記第１のサブセットとは異なる、前記一連のサブフレームの前記第２の部分のリソースの第２のサブセット上でシグナリングを監視するようにさらに構成された、
Ｃ９に記載の装置。
［Ｃ１６］  前記少なくとも１つのトランシーバが、前記一連のサブフレームのために前記通信媒体を予約するために、チャネル予約メッセージを送信するようにさらに構成された、Ｃ９に記載の装置。
［Ｃ１７］  時分割複信（ＴＤＤ）フレーム構造に関連する一連のサブフレームのために通信媒体へのアクセスを求めて競合するための手段と、
前記一連のサブフレームの第１の部分中に前記通信媒体上で送信するための手段と、  前記一連のサブフレームの第２の部分中に前記通信媒体上で送信することを控えるための手段と、
競合タイマーを起動するためのトリガ条件に関連する１つまたは複数のアップリンク送信パラメータを調整するための手段と、
前記競合タイマーに基づいて、前記一連のサブフレームの第３の部分のために前記通信媒体へのアクセスを求めて再競合するための手段と、
前記一連のサブフレームの前記第３の部分中に前記通信媒体上で送信するための手段とを備える、通信装置。
［Ｃ１８］  前記トリガ条件がバックオフしきい値を備える、Ｃ１７に記載の装置。
［Ｃ１９］  調整するための前記手段が、前記１つまたは複数のアップリンク送信パラメータをアクセス端末に送信するための手段を備える、Ｃ１７に記載の装置。
［Ｃ２０］  前記調整することが、アクセスポイントへの前記アクセス端末の近接に基づく、Ｃ１９に記載の装置。
［Ｃ２１］  前記１つまたは複数のアップリンク送信パラメータが送信電力パラメータを備え、
調整するための前記手段が、アクセス端末に関連する信号強度または送信リソースの数を、前記トリガ条件に関連するレベル未満に制限するための手段を備える、
Ｃ１７に記載の装置。
［Ｃ２２］  前記１つまたは複数のアップリンク送信パラメータがマルチユーザスケジューリングパラメータを備え、
調整するための前記手段が、前記一連のサブフレームの前記第３の部分に隣接するサブフレーム中でしきい値を上回る信号強度を有するいかなるアクセス端末をもスケジュールすることを控えるための手段を備える、
Ｃ１７に記載の装置。
［Ｃ２３］  前記アップリンク送信パラメータがサブバンドスケジューリングパラメータを備え、  調整するための前記手段が、前記一連のサブフレームの前記第２の部分のリソースの第１のサブセット中でアクセス端末をスケジュールするための手段を備え、
再競合するための前記手段が、リソースの前記第１のサブセットとは異なる、前記一連のサブフレームの前記第２の部分のリソースの第２のサブセット上でシグナリングを監視するための手段を備える、
Ｃ１７に記載の装置。
［Ｃ２４］  プロセッサによって実行されたとき、前記プロセッサに通信のための動作を実施させるコードを備える非一時的コンピュータ可読媒体であって、前記非一時的コンピュータ可読媒体が、
時分割複信（ＴＤＤ）フレーム構造に関連する一連のサブフレームのために通信媒体へのアクセスを求めて競合するためのコードと、
前記一連のサブフレームの第１の部分中に前記通信媒体上で送信するためのコードと、  前記一連のサブフレームの第２の部分中に前記通信媒体上で送信することを控えるためのコードと、
競合タイマーを起動するためのトリガ条件に関連する１つまたは複数のアップリンク送信パラメータを調整するためのコードと、
前記競合タイマーに基づいて、前記一連のサブフレームの第３の部分のために前記通信媒体へのアクセスを求めて再競合するためのコードと、
前記一連のサブフレームの前記第３の部分中に前記通信媒体上で送信するためのコードと
を備える、非一時的コンピュータ可読媒体。
［Ｃ２５］  前記トリガ条件がバックオフしきい値を備える、Ｃ２４に記載の非一時的コンピュータ可読媒体。
［Ｃ２６］  調整するための前記コードが、前記１つまたは複数のアップリンク送信パラメータをアクセス端末に送信するためのコードを備える、Ｃ２４に記載の非一時的コンピュータ可読媒体。
［Ｃ２７］  前記調整することが、アクセスポイントへの前記アクセス端末の近接に基づく、Ｃ２６に記載の非一時的コンピュータ可読媒体。
［Ｃ２８］  前記１つまたは複数のアップリンク送信パラメータが送信電力パラメータを備え、
調整するための前記コードが、アクセス端末に関連する信号強度または送信リソースの数を、前記トリガ条件に関連するレベル未満に制限するためのコードを備える、
Ｃ２４に記載の非一時的コンピュータ可読媒体。
［Ｃ２９］  前記１つまたは複数のアップリンク送信パラメータがマルチユーザスケジューリングパラメータを備え、
調整するための前記コードが、前記一連のサブフレームの前記第３の部分に隣接するサブフレーム中でしきい値を上回る信号強度を有するいかなるアクセス端末をもスケジュールすることを控えるためのコードを備える、
Ｃ２４に記載の非一時的コンピュータ可読媒体。
［Ｃ３０］  前記アップリンク送信パラメータがサブバンドスケジューリングパラメータを備え、
調整するための前記コードが、前記一連のサブフレームの前記第２の部分のリソースの第１のサブセット中でアクセス端末をスケジュールするためのコードを備え、
再競合するための前記コードが、リソースの前記第１のサブセットとは異なる、前記一連のサブフレームの前記第２の部分のリソースの第２のサブセット上でシグナリングを監視するためのコードを備える、
Ｃ２４に記載の非一時的コンピュータ可読媒体。